(57)【要約】【課題】  ペダルの踏み間違えによる事故に対応することができるドライブレコーダーシステムを提供する。【解決手段】    車両に搭載されるドライブレコーダーシステムであって、前記車両の周囲を撮像する車外撮像カメラと、前記車両の車内を撮像する車内撮像カメラと、前記車外撮像カメラで撮像される車外画像データと前記車内撮像カメラで撮像される車内画像データを出力する画像データ出力部と、前記画像データ出力部から出力される前記車外画像データと前記車内画像データを同期的に記憶する画像データ記憶部と、を備えてなり、前記車内撮像カメラは、前記車両の運転席側におけるインストルメントパネルの下方で且つアクセルペダルの略真上に取り付けられており、アクセルペダルを撮像することを特徴とする。【選択図】図１
0003231934.tif 000002
【実用新案登録請求の範囲】
【請求項１】
車両に搭載されるドライブレコーダーシステムであって、
前記車両の周囲を撮像する車外撮像カメラと、
前記車両の車内を撮像する車内撮像カメラと、
前記車外撮像カメラで撮像される車外画像データと前記車内撮像カメラで撮像される車内画像データを出力する画像データ出力部と、
前記画像データ出力部から出力される前記車外画像データと前記車内画像データを同期的に表示させる合成画像データを生成し、前記合成画像データを出力する画像データ生成部と、
前記画像データ生成部から出力される前記合成画像データを記憶する画像データ記憶部と、を備えてなり、
前記車内撮像カメラは、前記車両の運転席側におけるインストルメントパネルの下方で且つペダルの上方に設けられており、ペダルを撮影することを特徴とするドライブレコーダーシステム。
【請求項２】
車両に搭載されるドライブレコーダーシステムであって、
前記車両の周囲を撮像する車外撮像カメラと、
前記車両の車内を撮像する車内撮像カメラと、
前記車外撮像カメラで撮像される車外画像データと前記車内撮像カメラで撮像される車内画像データを出力する画像データ出力部と、
前記画像データ出力部から出力される前記車外画像データと前記車内画像データを同期的に記憶する画像データ記憶部と、を備えてなり、
前記車内撮像カメラは、前記車両の運転席側におけるインストルメントパネルの下方で且つペダルの上方に設けられており、ペダルを撮像することを特徴とするドライブレコーダーシステム。
【請求項３】
前記車内撮像カメラは、撮像用光線を照射する照明器具を備えることを特徴とする請求項１又は２記載のドライブレコーダーシステム。
【請求項４】
車両に搭載されるドライブレコーダーシステムであって、
前記車両の周囲を撮像する車外撮像カメラと、
前記車両の所定部位を撮像する車両撮像カメラと、
前記車外撮像カメラで撮像される車外画像データと前記車両撮像カメラで撮像される車両画像データを出力する画像データ出力部と、
前記画像データ出力部から出力される前記車外画像データと前記車両画像データを同期的に記憶する画像データ記憶部と、を備えてなり、
前記車両撮像カメラは、前記車両の荷室に設けられており、前記荷室の内部を撮像することを特徴とするドライブレコーダーシステム。
【請求項５】
車両に搭載されるドライブレコーダーシステムであって、
前記車両の周囲を撮像する車外撮像カメラと、
前記車両の所定部位を撮像する車両撮像カメラと、
前記車外撮像カメラで撮像される車外画像データと前記車両撮像カメラで撮像される車両画像データを出力する画像データ出力部と、
前記画像データ出力部から出力される前記車外画像データと前記車両画像データを同期させた合成画像データを生成し、前記合成画像データを出力する画像データ生成部と、
前記画像データ生成部から出力される前記合成画像データを記憶する画像データ記憶部と、を備えてなり、
前記車両撮像カメラは、前記車両の荷室に設けられており、前記荷室の内部を撮像することを特徴とするドライブレコーダーシステム。
【請求項６】
前記画像データ記憶部に記憶された画像データを再生することができる再生機器を備えることを特徴とする請求項１乃至５の何れかに記載のドライブレコーダーシステム
【考案の詳細な説明】
【技術分野】
【０００１】
本考案は、車両に搭載されてその車両の運転状況を画像記憶するドライブレコーダーシステムに関する。
【背景技術】
【０００２】
従来、交通事故の発生原因を検証するために車両に搭載されて、当該車両の走行時の状況を撮像し、画像記憶するドライブレコーダーが利用されている。かかるドライブレコーダーでは、車両の前方と、ドライバーの両方を撮像して画像記憶することにより、ドライバーの脇見や居眠りの有無を検証することも提案されている（例えば特許文献１参照。）。
【先行技術文献】
【特許文献】
【０００３】
【特許文献１】特開２０００−６８５４号公報
【考案の開示】
【考案が解決しようとする課題】
【０００４】
ところで、近年、アクセルペダルとブレーキペダルの踏み間違えによる事故が増加しているが、ドライバーがペダルの踏み間違えしていないと主張することがある。しかし、上記従来のドライブレコーダーは、ドライバーの顔や上半身を正面から撮像しているにすぎないため、事故原因が本当にペダルの踏み間違えによるものかどうかの確認に対応できなかった。また、荷室に積まれた荷物の荷崩れを原因として事故発生に至ることもあるが、これも上記従来のドライブレコーダーでは対応できなかった。
【０００５】
そこで、本考案は、アクセルペダルとブレーキペダルの踏み間違えや、荷室に積まれた荷物の荷崩れによる事故の検証等に対応することができるドライブレコーダーシステムを提供する。
【課題を解決するための手段】
【０００６】
請求項１の考案は、
車両に搭載されるドライブレコーダーシステムであって、
前記車両の周囲を撮像する車外撮像カメラと、
前記車両の車内を撮像する車内撮像カメラと、
前記車外撮像カメラで撮像される車外画像データと前記車内撮像カメラで撮像される車内画像データを出力する画像データ出力部と、
前記画像データ出力部から出力される前記車外画像データと前記車内画像データを同期的に表示させる合成画像データを生成し、前記合成画像データを出力する画像データ生成部と、
前記画像データ生成部から出力される前記合成画像データを記憶する画像データ記憶部と、を備えてなり、
前記車内撮像カメラは、前記車両の運転席側におけるインストルメントパネルの下方で且つペダルの上方に設けられており、ペダルを撮影することを特徴とするドライブレコーダーシステム
を提供する。
【０００７】
請求項２の考案は、
車両に搭載されるドライブレコーダーシステムであって、
前記車両の周囲を撮像する車外撮像カメラと、
前記車両の車内を撮像する車内撮像カメラと、
前記車外撮像カメラで撮像される車外画像データと前記車内撮像カメラで撮像される車内画像データを出力する画像データ出力部と、
前記画像データ出力部から出力される前記車外画像データと前記車内画像データを同期的に記憶する画像データ記憶部と、を備えてなり、
前記車内撮像カメラは、前記車両の運転席側におけるインストルメントパネルの下方で且つペダルの上方に設けられており、ペダルを撮像することを特徴とするドライブレコーダーシステム
を提供する。
【０００８】
請求項３の考案は、
前記車内撮像カメラは、撮像用光線を照射する照明器具を備えることを特徴とする請求項１又は２記載のドライブレコーダーシステム
を提供する。
【０００９】
請求項４の考案は、
車両に搭載されるドライブレコーダーシステムであって、
前記車両の周囲を撮像する車外撮像カメラと、
前記車両の所定部位を撮像する車両撮像カメラと、
前記車外撮像カメラで撮像される車外画像データと前記車両撮像カメラで撮像される車両画像データを出力する画像データ出力部と、
前記画像データ出力部から出力される前記車外画像データと前記車両画像データを同期的に記憶する画像データ記憶部と、を備えてなり、
前記車両撮像カメラは、前記車両の荷室に設けられており、前記荷室の内部を撮像することを特徴とするドライブレコーダーシステム
を提供する。
【００１０】
請求項５の考案は、
車両に搭載されるドライブレコーダーシステムであって、
前記車両の周囲を撮像する車外撮像カメラと、
前記車両の所定部位を撮像する車両撮像カメラと、
前記車外撮像カメラで撮像される車外画像データと前記車両撮像カメラで撮像される車両画像データを出力する画像データ出力部と、
前記画像データ出力部から出力される前記車外画像データと前記車両画像データを同期させた合成画像データを生成し、前記合成画像データを出力する画像データ生成部と、
前記画像データ生成部から出力される前記合成画像データを記憶する画像データ記憶部と、を備えてなり、
前記車両撮像カメラは、前記車両の荷室に設けられており、前記荷室の内部を撮像することを特徴とするドライブレコーダーシステム
を提供する。
【００１１】
請求項６の考案は、
前記画像データ記憶部に記憶された画像データを再生することができる再生機器を備えることを特徴とする請求項１乃至５の何れかに記載のドライブレコーダーシステム
を提供する。
【考案の効果】
【００１２】
本考案のドライブレコーダーシステムは、車両の周囲（車外）を撮像することに加えて、ペダルや荷室の内部を撮像して、これらの画像データを同期的に記憶したり、合成画像データを記憶したりするようにしたので、ペダルの踏み間違えや荷物の荷崩れがあったかどうか等の検証に対応することができる。
【図面の簡単な説明】
【００１３】
【図１】本発明に係るドライブレコーダーシステムの一例を示すブロック図。
【図２】車外撮像カメラと車内撮像カメラの設置状況を示す車内の運転席回りの側面図。
【図３】車外画像と車内画像を同期させた合成画像の一例を示す図。
【考案を実施するための形態】
【００１４】
（ドライブレコーダーシステム１）
本考案のドライブレコーダーシステム１について図面を参照しながら説明する。ドライブレコーダーシステム１は、乗用車、トラック、バス等の車両に搭載されており、図１に示すように、撮像部２と、制御部３と、画像表示部４と、画像データ記憶部５と、再生機器６と、を備える。
【００１５】
（撮像部２）
撮像部２は、車両の周囲（車外）を撮像する車外撮像カメラ２１と、車両の車内を撮像する車内撮像カメラ２２と、各撮像カメラ２１、２２で撮像した車外画像データと車内画像データを出力する画像データ出力部２３を備えている。図２に示すように、車外撮像カメラ２１は、車両のフロントスクリーンに取り付けられて車両前方の道路を撮像し、車内撮像カメラ２２は、車両の車内の運転席側に取り付けられることによりインストルメントパネルＰの下方で且つアクセルペダルＡの略真上に設けられて、アクセルペダルとその周辺を撮像する。なお、車内撮像カメラ２２は、アクセルペダルＡ及びその周辺に向けて撮像用光線を照射するための照明器具を備えている。
【００１６】
（制御部３）
制御部３は、ＣＰＵ（中央演算処理装置）、ＲＯＭ（読み出し専用メモリ）、ＲＡＭ（ランダムアクセスメモリ）等の部品で構成されて、車外撮像カメラ２１と一体的に設けられており、図1に示すように、画像データ生成部３１と、画像データ書き込み部３２を備えている。画像データ生成部３１は、撮像部２から出力された車外画像データと車内画像データを同期的に表示させるように合成させた合成画像Ｉｍ（図３）を生成して、その合成画像データを画像データ書き込み部３２と画像表示部４に出力する。なお、合成画像Ｉｍは、その画面内に撮像日時（時刻）が表示することができるように生成される。
【００１７】
（画像表示部４）
画像表示部４は、車外撮像カメラ２１と一体的に設けられている小型の液晶画像モニターで、車室内側に向けられており、後述する画像データ記憶部５に記憶される合成画像データを車外撮像カメラ２１と一体的に設けられる再生機器６により再生表示することができるほか、画像データ生成部３１から出力される合成画像データによる合成画像をリアルタイム表示することも可能である。
【００１８】
（画像データ記憶部５）
画像データ記憶部５は、車外撮像カメラ２１と一体的に設けられるカードスロットに着脱可能に差し込まれるＳＤカード等の記録媒体であり、画像データ書き込み部３２により書き込まれる合成画像データを記憶する。合成画像データの総データ量が画像データ記憶部５の記憶容量を超過したときは、最も古いデータを記憶している部分に最新データが順次、上書きされる。また、不図示の車両衝突センサが作動したときは、そのセンサ信号に基づいて、センサ作動後、所定時間経過以降の新たなデータ書き込みが禁止される。なお、画像データ記憶部５に記憶された合成画像データは、画像データ記憶部５をカードスロットから取り外して、パソコンやスマートフォン等の画像再生機能を有する外部機器に接続することによりそのモニターで再生することもできる。
【００１９】
（合成画像Ｉｍ）
合成画像Ｉｍは、図３に示すように、液晶画像モニターの表示画面全体に表示される車外画像Ｉｏと、車外画像Ｉｏ内の右上部に取り込まれた状態で表示される車内画像Ｉｉとで構成され、車外画像Ｉｏ内の下部には表示画像の撮像日時が同時表示される。車外画像Ｉｏは、上述したとおり、車両前方の道路を撮像したものであり、道路を走行する先行車両も映り込むため、事故が発生した場合の原因を調べる際の重要な検証材料となる。車内画像Ｉｉは、車内撮像カメラ２２によりアクセルペダルＡを中心として、その左側にあるブレーキペダルＢも映り込むように設定されている。
【００２０】
当然ながら、車内画像Ｉｉには、ペダル操作をするドライバーの足Ｆも映り込んでいるので、事故発生後に合成画像Ｉｍを再生することで、車外画像Ｉｏにより確認される事故発生タイミングにおいて、ドライバーがアクセルペダルを操作していたか、それともブレーキペダルを操作していたか、一目瞭然であるから、ペダル踏み間違えの有無を容易且つ確実に検証することができる。
【００２１】
（上記実施形態の変形例）
上記実施形態では、車内撮像カメラ２２をアクセルペダルＡの略真上に設けて主にアクセルペダルＡを撮像するようにしたが、ドライバーが事故発生時にアクセルペダルＡとブレーキペダルＢの何れを踏んでいたか（ペダルを踏み間違えていたかどうか）を確認できればよいので、これらのペダルの上方に設けて何れかのペダルを撮像できるようにすればよい。ブレーキペダルＢの略真上に設けて、主にブレーキペダルＢが撮像されるようにしてもよいし、アクセルペダルＡとブレーキペダルＢの中間位置の上方に設けて、両方のペダルを撮像してもよい。
【００２２】
上記実施形態では、車外撮像カメラ２１で撮像した車外画像データと、車内撮像カメラ２２で撮像した車内画像データに基づいて、画像データ生成部３１で合成画像Ｉｍを生成したが、それに代えて、車外画像データと車内画像データをそのまま画像データ記憶部５に同期的に記憶させるようにしてもよい。具体的には各画像データの再生時に撮像日時が表示されるように書き込みを行う。これにより車外画像データで事故発生タイミングを確認して、同時刻における車内画像データで事故発生タイミングにおけるペダル踏み間違えの有無を確認できるようにする。
【００２３】
上記実施形態では、車外撮像カメラ２１で車両の前方の道路を撮像し、車内撮像カメラ２２でアクセルペダル周辺を撮像したが、車内撮像カメラ２２に代えて、車両の所定部位を撮像する車両撮像カメラを備え、当該車両撮像カメラを荷室の天井や側壁に取り付けるなど荷室に設けて、荷室内部及び荷室に搭載した荷物を撮像しても良い。そして、車両撮像カメラで撮像した車両画像データと車外撮像カメラによる車外画像データについて、上記実施形態と同様に、同期させた合成画像を生成して画像データ記憶部に記憶、或いは同期的に記憶させることにしても良い。これらの画像再生により、荷崩れが原因で事故であるか否かを確認でき、また、車両画像データを画像表示部４にリアルタイム表示することで、輸送途中において荷崩れ発生の危険性を察知することができる。その他、本考案はその要旨を変更しない範囲で種々の変更を加えることができる。
【符号の説明】
【００２４】
１    ドライブレコーダーシステム
２    撮像部
２１    車外撮像カメラ
２２    車内撮像カメラ
３    制御部
４    画像表示部
５    画像データ記憶部
６    再生機器
Ｉｍ    合成画像
Ｉｏ    車外画像
Ｉｉ    車内画像    
【図１】
0003231934.tif 000003
【図２】
0003231934.tif 000004
【図３】
0003231934.tif 000005